(57)【要約】    【課題】  鍋が大型で鍋蓋が大きい場合にも鍋の背後に大きなスペースを必要とせずに鍋蓋を載せておくことができ、しかも鍋蓋の汁によって鍋の周囲が汚れず、さらには鍋蓋を閉じるときにも鍋蓋を簡単に取り扱うことのできるようにした受け具を提供する。    【解決手段】  鍋蓋受け具(10)を、鍋(30)の外面に当接される基部(11)と、基部から延び、鍋の上端縁を越える部分(12A) を有し、鍋の少なくとも内面に当接される脚部(12)と、基部と脚部とによって鍋の内側空間に保持され、鍋蓋が縦向きに載せられる蓋載せ部(14)とから構成し、鍋蓋(31)を鍋(30)の内側にて縦向きに載せる。脚部と蓋載せ部との間には荷重受け部(13)を設けて鍋蓋の荷重を緩和して脚部及び基部に伝えるのが好ましい。【選択図】  図５
2006174886.tif 000002
【特許請求の範囲】
【請求項１】
鍋蓋を鍋内側にて縦向きに載せておくことのできるようにした鍋蓋受け具であって、
鍋の外面に当接される基部と、
該基部から延び、鍋の上端縁を越える部分を有し、鍋の少なくとも内面に当接される脚部と、
上記基部と脚部とによって鍋の内側空間に保持され、鍋蓋が縦向きに載せられる蓋載せ部と、を備えたことを特徴とする鍋蓋受け具。
【請求項２】
上記基部、脚部及び蓋載せ部は、骨組み形状に構成されている請求項１記載の鍋蓋受け具。
【請求項３】
上記脚部と蓋載せ部との間に設けられ、鍋蓋の荷重を受けて弾性変形する荷重受け部をさらに備えた請求項１又は２記載の鍋蓋受け具。
【請求項４】
上記基部が弧状をなし、
複数の上記脚部が上記弧状基部の一端から連続しかつ相互に間隔を次第に広げるように鍋内に向けて延び、該複数の各脚部は鍋の上端縁を越える乗り越え部分と該乗り越え部分から鍋の内面に沿って下方に延びて鍋内面に当接される当たり部分とを有し、
上記荷重受け部は上記脚部の下端から連続し、鍋の内面に沿って上方に延びる部分を有し、
上記蓋載せ部は上記荷重受け部の先端から連続しかつ相互の間隔を次第に狭めるように鍋の中心に向けて延び、鍋蓋が縦向きに載せられる曲成部分を有している請求項３記載の鍋蓋受け具。
【請求項５】
ばね性を有する線材を曲成することによって製作されている請求項１ないし４のいずれかに記載の鍋蓋受け具。
【発明の詳細な説明】
【技術分野】
【０００１】
この発明は鍋蓋受け具に関し、特に鍋が大型で鍋蓋が大きい場合にも鍋の背後に大きなスペースを必要とせずに鍋蓋を載せておくことができ、しかも鍋蓋の汁によって鍋の周囲が汚れず、さらには鍋蓋を閉じるときにも鍋蓋を簡単に取り扱うことのできるようにした受け具に関する。
【背景技術】
【０００２】
例えば、鍋で煮炊きする場合、鍋の口を鍋蓋を閉じて熱効率を高めておくのがよいが、十分に加熱された後は吹きこぼれを避けるために鍋蓋を開けておくことがある。また、煮炊きが済んだ後、冷めるまで鍋蓋を開けておくこともある。かかる場合、鍋蓋を鍋の近くの適当な箇所に載せておくと、調理の邪魔になるばかりでなく、鍋蓋から汁が滴って鍋蓋の周囲を汚してしまう。
【０００３】
これに対し、鍋の外側に蓋受け具を取付け、受け具に鍋蓋を横向きに載せあるいは縦向きに載せておくことが提案されている（特許文献１、特許文献２）。
【０００４】
【特許文献１】特開平０７−３１３３７２号公報
【特許文献２】実開昭５９−１７１６４２号公報
【発明の開示】
【発明が解決しようとする課題】
【０００５】
しかし、特許文献１記載の蓋受け具では鍋蓋を横向きに載せるようにしているので、鍋の背後に大きなスペースを必要とし、特に大型の鍋の場合には鍋蓋も大きくなるので、狭い調理場において大きな蓋受け具のスペースを確保するのは実際には困難である。また、摘まみを上にして蓋受け具に鍋蓋を載せると、鍋蓋が蓋受け具上を滑るおそれがあるばかりでなく、鍋蓋から汁が下方に滴って汚れてしまう一方、摘まみを下にして蓋受け具に鍋蓋を載せると、汁の滴りは少ないものの、鍋蓋を閉じるときに摘まみが鍋蓋の下側に隠れてしまい、鍋蓋を取り扱い難い。
【０００６】
他方、特許文献２記載の鍋受け具では受け皿に縦向きに載せているので、必要なスペースが特許文献１記載の蓋受け具に比して小さいものの、鍋が大型で鍋蓋も大きい場合には鍋の背後に蓋受け具のスペースを確保するのが難しいことがあり、又鍋蓋の汁が受け皿に滴るので、衛生上、受け皿を頻繁に洗浄する必要があって煩わしい。
【０００７】
本発明はかかる問題点に鑑み、鍋が大型で鍋蓋が大きい場合にも鍋の背後に大きなスペースを必要とせずに鍋蓋を載せておくことができ、しかも鍋蓋の汁によって鍋の周囲が汚れず、さらには鍋蓋を閉じるときにも鍋蓋を簡単に取り扱うことのできるようにした鍋蓋受け具を提供することを課題とする。
【課題を解決するための手段】
【０００８】
本件発明者は上述の課題を解決すべく鋭意研究を重ねたところ、鍋内側で鍋上方の空間を利用して鍋蓋を縦置きにすればよいことに着目し、本発明を完成するに至った。
【０００９】
そこで、本発明に係る鍋蓋受け具は、鍋蓋を鍋内側にて縦向きに載せておくことのできるようにした鍋蓋受け具であって、鍋の外面に当接される基部と、該基部から延び、鍋の上端縁を越える部分を有し、鍋の少なくとも内面に当接される脚部と、上記基部と脚部とによって鍋の内側空間に保持され、鍋蓋が縦向きに載せられる蓋載せ部と、を備えたことを特徴とする。
【００１０】
本発明の特徴の１つは基部と脚部とによって鍋の壁面を挟み、脚部前方の蓋載せ部に鍋蓋を鍋内側において縦向きに載せておくようにした点にある。
【００１１】
これにより、大型の鍋で鍋蓋が大きい場合にも鍋内側で鍋上方の空間に鍋蓋を置くことができ、鍋の周囲に大きなスペースを必要とせず、調理場が狭い場合であっても鍋蓋が邪魔になることはない。
【００１２】
また、鍋蓋を縦向きに載せているので、鍋蓋が滑ることもなく、又鍋を閉じる場合にも鍋蓋を簡単に取り扱うことができる。
【００１３】
さらに、鍋蓋から汁が滴っても鍋内であるので、鍋の周囲を汁で汚すことはなく、衛生上も好ましい。
【００１４】
鍋蓋受け具は金属材料や合成樹脂材料を用い、板を立体的に構成した形状に製作してもよいが、その場合には鍋蓋の汁が上手く下方に滴るように多数の穴を形成しておくのが好ましい。また、製造コストを考慮すると、立体的な板状ではなく、下記の実施形態に示されるように骨組み形状に製作するのがよい。例えば、ばね性を有する線材を曲成することによって製作されることができる。
【００１５】
脚部は鍋の上端縁を越える部分を有し、少なくとも鍋の内面と当接される形状であればよく、例えば下記の実施形態に示されるような鍋の内面のみに当たる形状とすることもでき、又脚部で鍋の壁面を挟み込む、つまり鍋の外面及び内面に当たる形状とすることもできる。
【００１６】
また、立体的な板状の場合には広い当たり面積及び保持する面積を確保できるので、脚部及び蓋載せ部は１つでもよいが、骨組み形状の場合には縦向きの鍋蓋を安定に載せておく上で、複数の脚部、１又は複数の蓋載せ部とするのがよい。
【００１７】
鍋蓋が大きい場合、鍋蓋受け具に加わる負荷が大きく、鍋蓋受け具が変形してしまうおそれがある。そこで、脚部と蓋載せ部との間に鍋蓋の荷重を受けて弾性変形する荷重受け部をさらに設け、過大な荷重を荷重受け部で緩和するのがよい。
【００１８】
鍋蓋受け具を骨組み形状に製作する場合、具体的には下記のように構成するのがよい。即ち、基部は弧状となし、複数の脚部は弧状基部の一端から連続しかつ相互に間隔を次第に広げるように鍋内に向けて延び、この複数の脚部は鍋の上端縁を越える乗り越え部分とこの乗り越え部分から鍋の内面に沿って下方に延びて鍋内面に当接される当たり部分とを有し、荷重受け部は上記脚部の下端から連続し、鍋の内面に沿って上方に延びる部分を有し、蓋載せ部は荷重受け部の先端から連続しかつ相互の間隔を次第に狭めるように鍋の中心に向けて延び、鍋蓋が縦向きに載せられる曲成部分を有しているように構成するのが好ましい。
【発明を実施するための最良の形態】
【００１９】
以下、本発明を図面に示す具体例に基づいて詳細に説明する。図１ないし図６は本発明に係る鍋蓋受け具の好ましい実施形態を示す。本例の鍋蓋受け具１０は例えばばね鋼線を用いて骨組み形状に製作され、鍋３０の外面に当接される円弧状の基部１１を有し、この円弧状基部１１から左右の脚部１２が相互の間隔を次第に広げるように二股状に延びている。
【００２０】
この脚部１２は鍋３０の上端縁を乗り越える弧状の乗り越え部分１２Ａと、乗り越え部分１２Ａから鍋３０の内面に沿って下方に延びて鍋３０の内面に当接する当たり部分１２Ｂとから構成されている。
【００２１】
また、左右の脚部１２の下端には荷重受け部１３が各々連続されている。この荷重受け部１３は脚部１２の下端から脚部１２の乗り越え部分１２Ａの高さ程度まで上方に延び、さらにその半分の高さまで下方に折り返された形状となっている。
【００２２】
この荷重受け部１３の先端には蓋載せ部１４が連続され、左右の蓋載せ部１４は相互の間隔を次第に狭くするように鍋３０の内方に向けて延設されている。この左右の蓋載せ部１４は各々荷重受け部１３の高さまで上方に曲成した後、荷重受け部１３の先端と同じ高さまで下方に折り返し、さらに前方に延設し、再び荷重受け部１３の高さまで上方に曲成し、左右の蓋載せ部１４の先端を一体的に連続させた形状となっており、上方に立ち上がった部分の間が鍋蓋３１を縦向きに載せるための曲成部分１４Ａとなっている。
【００２３】
また、鍋蓋受け具１０を鍋３０にセットした時に、脚部１２、荷重受け部１３及び蓋載せ部１４の高さが鍋３０の上端縁よりも上方に突出しない高さに設定されている。
【００２４】
本例の鍋蓋受け具１０を用いる場合、図３及び図４に示されるように、脚部１２の乗り越え部分１２Ａが鍋３０の上端縁を乗り越えるように基部１１と脚部１２の乗り越え部分１２Ａとの間に鍋３０の壁面を挟み込む。
【００２５】
鍋３０で煮炊きを行う場合には鍋蓋３１の上端開口に鍋３０を載せればよく、鍋蓋受け具１０の高さが鍋３０の上端縁の高さ以下となっているので、鍋３０を鍋蓋３１でほぼ閉じることができる。なお、鍋蓋３１で鍋３０をピッタリと閉じる必要がある場合には鍋蓋３１を開けた時に鍋蓋受け具１０を鍋３０にセットし、鍋蓋３１を縦向きに載せるようにすればよい。
【００２６】
煮炊き中の鍋３０の鍋蓋３１を開けた場合、鍋蓋３１を鍋蓋受け具１０の蓋載せ部１４の曲成部分１４Ａに縦向きに載せる。すると、図６に示されるように、鍋蓋３１の荷重は蓋載せ部１４から荷重受け部１３に伝わり、荷重受け部１３が弾性変形することにより鍋蓋３１の荷重を緩和して脚部１２及び基部１１に伝えるので、鍋蓋３１は図５に示されるように鍋３０の内側空間に確実に保持される。
【００２７】
その結果、鍋蓋３１が大きい場合にも鍋３０の内側空間に鍋蓋３１を縦向きに置くことができるので、鍋３０の周囲に鍋蓋３１を置くための大きなスペースを必要とせず、狭い調理場であっても鍋蓋３１が邪魔になることはない。
【００２８】
また、鍋蓋３１を縦向きに載せているので、鍋蓋３１が安定して滑ることはなく、又鍋３０を閉じる場合にも鍋蓋３１を簡単に取り扱うことができる。
【００２９】
さらに、鍋蓋３１から汁が滴っても鍋３０内に滴るので、鍋３０の周囲を汁で汚すことはなく、衛生的である。
【００３０】
なお、上記実施形態では左右２つの脚部１２を設けるようにしたが、この脚部１２、従って荷重受け部１３及び蓋載せ部１２は３つ以上設けるようにしてもよい。また、荷重受け部１３を脚部１２の乗り越え部分１２Ａの高さまで上方に延設するようにしたが、その半分又はそれ以下の高さまでとしてもよい。さらに、鍋蓋受け具１０の強度が十分に確保できる場合、あるいは鍋蓋３１が比較的軽量である場合等には荷重受け部１３は必ずしも設ける必要はない。
【００３１】
また、鍋蓋受け具１０をばね鋼線を用いて製作するようにしたが、耐熱性のプラスチック材料で骨組み形状に製作してもよい。さらに、鍋蓋受け具１０は骨組み形状ではなく、金属材料又はプラスチック材料を用い、板を上記実施形態の外形状に似せた立体形状に加工するようにしてもよく、この場合には鍋蓋３１の汁が鍋３０内に効率よく滴るようにパンチング加工しておくのが好ましい。
【図面の簡単な説明】
【００３２】
【図１】本発明に係る鍋蓋受け具の好ましい実施形態を示す概略斜視図である。
【図２】上記実施形態が適用される鍋及び鍋蓋を示す概略斜視図である。
【図３】上記実施形態を鍋にセットした状態を示す概略斜視図である。
【図４】図３の要部拡大図である。
【図５】上記実施形態において鍋蓋を縦向きに載せた状態を示す図である。
【図６】上記実施形態の荷重緩和の作用を説明するための図である。
【符号の説明】
【００３３】
１０      鍋蓋受け具
１１      基部
１２      脚部
１２Ａ      乗り越え部分
１２Ｂ      当たり部分
１３      荷重受け部
１４      蓋載せ部
１４Ａ      曲成部分
３０      鍋
３１      鍋蓋
【図１】
2006174886.tif 000003
【図２】
2006174886.tif 000004
【図３】
2006174886.tif 000005
【図４】
2006174886.tif 000006
【図５】
2006174886.tif 000007
【図６】
2006174886.tif 000008